(57)【要約】【課題】種だけでなく球根の植え付けも行うことができる種または球根の植付機を提供する。【解決手段】植付機１０の前進時に前輪１７が回転すると、穴開け突起１６によって土に所定深さの植え付け穴１５が開けられる。植付機１０がさらに前進して植え付け穴１５が前輪１７と後輪１８との間に達したとき、投入チューブ１９から球根１３が植え付け穴１５に投入される。その後、植付機１０がさらにまた前進することで、後輪１８が植え付け穴１５の上部を押し潰し、投入された球根１３を後輪１９により覆土する。これにより、従来機では形成が困難であった植え付け穴１５を開けることができ、種だけでなく球根１３の植え付けも行うことができる。【選択図】図１
2020110061.tif 000002
【特許請求の範囲】
【請求項１】
走行力を得るための取っ手が設けられた機体と、
該機体の前部に配されて、土に種または球根の植え付け穴を開ける穴開け突起が半径方向に突出して設けられた前輪と、
前記機体の後部に配されて、前記穴開け突起により開けられた前記植え付け穴の上部を押し潰して覆土する後輪と、
前記機体に設けられて、前記前輪と前記後輪との間から露出した前記植え付け穴に、前記種または前記球根を投入するための投入チューブとを備えた種または球根の植付機。
【請求項２】
前記機体には、前記植え付け穴に投入された前記種または前記球根を穴奥へ押し込む押し込み部材が、前記投入チューブの一側部に昇降自在な連結状態で並設され、
前記機体には、操作アームの操作によって、前記投入チューブと前記押し込み部材とを、それぞれ前記植え付け穴との対峙位置まで一体的に横移動させるとともに、前記押し込み部材のみを前記植え付け穴との対峙位置で昇降させる縦横移動手段が設けられた請求項１に記載の種または球根の植付機。
【請求項３】
前記前輪は、円形をした左右一対の端板の外周部に、周方向へ所定ピッチで複数の連結枠が平行に横架された横長な円筒枠状のもので、
前記複数の連結枠には、複数の前記穴開け突起が、横方向へのスライド可能および異なる高さのものとの交換可能にそれぞれ連結され、
前記複数の連結枠は、前記左右一対の端板に対して、各半径方向へ移動可能にそれぞれ横架された請求項１または請求項２に記載の種または球根の植付機。
【請求項４】
前記取っ手は、前記前輪を中心にして前記機体を反転させることによって、前記後輪を持ち上げた状態での手引き走行が可能なように前記機体に設けられた請求項１〜請求項３のうち、何れか１項に記載の種または球根の植付機。
【発明の詳細な説明】
【技術分野】
【０００１】
この発明は種または球根の植付機、詳しくは手動走行式の種または球根の植付機に関する。
【背景技術】
【０００２】
従来、手押し走行式の種蒔機として、例えば、特許文献１に記載されたものが知られている。この従来の種蒔機は、畑に種蒔き溝を形成するための複数の輪形ロールが外周面に離間配置されたドラム状の前輪と、この前輪と軸線同士が平行なドラム状の後輪と、各輪の間に配されて、各輪形ロールにより形成された各種蒔き溝に覆土するための覆土板と、各輪より上方に配されて、複数の種を収納する種入れ容器と、種入れ容器にそれぞれの上端が連通されて、前輪と覆土板との間から露出した各種まき溝に種入れを行うための複数の投入チューブとを備えたものである。
【０００３】
種蒔き機の使用に際しては、畑で種蒔き機を手押し走行することで、まず、前輪の各輪形ロールによって土の上に複数の種蒔き溝が押し固めて形成される。その後、各溝の中に、種入れ容器から各チューブを通して種が１粒ずつ蒔かれ、次いで覆土板によって各溝の上に薄く覆土された後、後輪の踏みによってこの覆土を鎮圧する。これにより、植え付けられた種が風で飛散せず、地中からの自然な水揚げを促進することができる。その結果、種および溝土の乾燥を防止し、種の発芽を促して植物を生育することができる。
【先行技術文献】
【特許文献】
【０００４】
【特許文献１】特開２００３−２３５３１０号公報
【発明の概要】
【発明が解決しようとする課題】
【０００５】
しかしながら、従来の手押し走行式の種蒔機にあっては、このように複数の輪形ロール付きの前輪を畑の上で回転させて形成可能な種蒔き溝は一般的に浅い。そのため、種を投入する分には問題はないものの、球根を投入できるほどの深い溝を畑の表面に形成することは難しかった。すなわち、深い溝を形成するためには、前輪の外周面からの輪形ロールの突出高さを大きくし、さらに前輪を大型化して重量物とする必要があり、これでは種蒔機の手押し走行を行うことが困難になる。このように、従来機は、球根の植え付けに不向きなものであった。
【０００６】
そこで、発明者は鋭意研究の結果、畑の表面に、種または球根の植え付け穴を開けるための穴開け突起を、前輪の半径方向に突出状態で設けるようにすれば、上述した課題は解消されることを知見し、この発明を完成させた。
【０００７】
この発明は、種だけでなく、球根の植え付けも可能な種または球根の植付機を提供することを目的としている。
【課題を解決するための手段】
【０００８】
請求項１に記載の発明は、走行力を得るための取っ手が設けられた機体と、該機体の前部に配されて、土に種または球根の植え付け穴を開ける穴開け突起が半径方向に突出して設けられた前輪と、前記機体の後部に配されて、前記穴開け突起により開けられた前記植え付け穴の上部を押し潰して覆土する後輪と、前記機体に設けられて、前記前輪と前記後輪との間から露出した前記植え付け穴に、前記種または前記球根を投入するための投入チューブとを備えた種または球根の植付機である。
【０００９】
植付機は、取っ手を利用した手押し走行式のものでも、これとは反対に手引き走行式のものでもよい。この取っ手はその一部が機体に連結されており、操作者が取っ手をつかんで機体を押しまたは引っ張ることにより機体を走行させることを可能としている。
植付機を使用する場所としては、畑（畝）や家庭菜園の庭などが一般的である。
植付機により植え付けられる種の種類は限定されない。例えば、トマト、キュウリといった各種の野菜、イチゴといった各種の果物の種でもよい。
また、球根の種類も限定さない。例えば、各種の花（チューリップ、アマリリスなど）、各種の野菜（ニンニク、里芋、ジャガイモなど）の球根を採用することができる。
【００１０】
機体の素材としては、例えば、各種の金属を採用することができるものの、安価で軽量なアルミニウム合金が好ましい。
機体の形状も任意である。
取っ手の素材としては、例えば、各種の金属、各種のプラスチック、各種の木などを採用することができる。
取っ手の形状や長さは任意である。
【００１１】
前輪の素材としては、各種の金属、各種のプラスチックなどを採用することができる。
前輪の形状は任意である。例えば、円盤状、横長な円筒状、横長な円筒枠状などを採用することができる。
前輪の使用数も任意である。１つでも複数でもよい。
穴開け突起の素材としては、各種の金属、各種のプラスチックなどを採用することができる。
穴開け突起の形状は任意である。例えば、円柱状、角柱状などでもよい。
穴開け突起のサイズ（直径（開口面積）、深さ）も任意である。
穴開け突起の形成数は任意である。例えば、１つでも複数でもよい。複数の場合、前輪の周方向に所定ピッチで形成した方が、土の表面に一定間隔で植え付け穴を形成できるために好ましい。
植え付け穴の形状や深さは、穴開け突起の形状や長さにより適宜変更される。
【００１２】
後輪の素材としては、各種の金属、各種のプラスチックなどを採用することができる。
後輪の形状は任意である。例えば、円盤状、横長な円筒状などを採用することができる。
後輪の使用数も任意である。１つでも複数でもよい。
投入チューブの素材としては、例えば、各種のプラスチックなどを採用することができる。また、この投入チューブとしては、湾曲自在な金属チューブでもよい。
【００１３】
請求項２に記載の発明は、前記機体には、前記植え付け穴に投入された前記種または前記球根を穴奥へ押し込む押し込み部材が、前記投入チューブの一側部に昇降自在な連結状態で並設され、前記機体には、操作アームの操作によって、前記投入チューブと前記押し込み部材とを、それぞれ前記植え付け穴との対峙位置まで一体的に横移動させるとともに、前記押し込み部材のみを前記植え付け穴との対峙位置で昇降させる縦横移動手段が設けられた請求項１に記載の種または球根の植付機である。
【００１４】
押し込み部材の素材としては、各種の金属、各種のプラスチックなどを採用することができる。
押し込み部材の形状は任意である。例えば、丸棒状、角棒状でもよい。この押し込み部材は、縦長で上下面が開口した昇降ガイド筒を利用して昇降自在に設けてもよい。
操作アームの素材としては、各種の金属、各種のプラスチック、各種の木などを採用することができる。
縦横移動手段の構造は、操作アームを適宜操作することによって、植え付け穴との対峙位置まで一体的に投入チューブと押し込み部材とを移動可能であるとともに、押し込み部材のみを植え付け穴の真上で昇降（上下動）させて、種または球根を穴奥に押し込めるものであれば任意である。
【００１５】
請求項３に記載の発明は、前記前輪は、円形をした左右一対の端板の外周部に、周方向へ所定ピッチで複数の連結枠が平行に横架された横長な円筒枠状のもので、前記複数の連結枠には、複数の前記穴開け突起が、横方向へのスライド可能および異なる高さのものとの交換可能にそれぞれ連結され、前記複数の連結枠は、前記左右一対の端板に対して、各半径方向へ移動可能にそれぞれ横架された請求項１または請求項２に記載の種または球根の植付機である。
【００１６】
端板および連結枠の素材としては、各種の金属、各種のプラスチックなどを採用することができる。
端板の厚さは任意であるものの、薄肉の方が軽量化を図れて好ましい。
連結枠としては、例えば、丸棒、丸パイプ、角棒、角パイプなどを採用することができる。
連結枠の長さは、横長な前輪の長さに応じて適宜変更することができる。
また、連結枠の使用数も、土の表面に形成される植え付け穴の形成ピッチに応じて適宜変更することができる。
【００１７】
ここでいう「複数の連結枠に、複数の穴開け突起が、横方向へのスライド可能および異なる高さのものとの交換可能にそれぞれ連結されている」とは、対応する連結枠に、複数の穴開け突起がそれぞれ横方向（連結枠の長さ方向）へスライド可能に設けられて、各穴開け突起の形成ピッチを変更できるとともに、対応する連結枠に、複数の穴開け突起がそれぞれ着脱可能に設けられることで、穴開け突起を高さが異なるものに交換できることを意味する。
ここでいう「複数の連結枠が、左右一対の端板に対して、各半径方向へ移動可能にそれぞれ横架されている」とは、前輪の構成が、２枚の端板における各連結枠の横架位置を、端板の半径方向へ移動できるようになっていることを意味する。
【００１８】
請求項４に記載の発明は、前記取っ手は、前記前輪を中心にして前記機体を反転させることによって、前記後輪を持ち上げた状態での手引き走行が可能なように前記機体に設けられた請求項１〜請求項３のうち、何れか１項に記載の種または球根の植付機である。
【発明の効果】
【００１９】
請求項１に記載の発明によれば、種または球根の植え付け時、取っ手を握って植付機を土の上で前進させると、前輪が回転し、穴開け突起によって土の表面に種または球根の植え付け穴が開けられる。その後の植付機の前進により、植え付け穴が前輪と後輪との間に達したとき、投入チューブを通して種または球根が植え付け穴に投入される。さらに植付機が前進することで、後輪が植え付け穴の上部を押し潰し、投入された種または球根の上に覆土する。
このように、前輪に突設された穴開け突起によって、従来機では形成が困難であった所定深さの植え付け穴を土の表面に開けるように構成したため、種だけでなく球根の植え付けも行うことができる。
【００２０】
特に、請求項２に記載の発明によれば、種または球根の植え付けに際して、縦横移動手段の操作アームの操作により、投入チューブと押し込み部材とを一体的に横移動させ、前輪と後輪との間から露出した植え付け穴の真上に投入チューブの下端を配置する。次いで、この状態で投入チューブの下端から穴開け突起の中へと種または球根を投入する。
その後、操作アームのさらなる操作によって、投入チューブと押し込み部材とを一体的に横移動させ、植え付け穴の真上に押し込み部材の下端を配置し、ここで押し込み部材を下方へ移動させることで、植え付け穴に投入された種または球根を穴奥に押し込む。これにより、種または球根の必要な埋め込み深さを確保することができる。
【００２１】
このように、アーム操作式の縦横移動手段を利用して、投入チューブと押し込み部材とをそれぞれ植え付け穴との対峙位置まで一体的に横移動させるとともに、押し込み部材を昇降可能に構成したため、投入チューブを使用した種または球根の植え付け穴への投入と、その後の押し込み部材による植え付け穴の穴奥への種または球根の押し込みとを、操作アームによる簡単な操作のみで連続的に短時間で行うことができる。
【００２２】
また、請求項３に記載の発明によれば、前輪として横長な円筒枠状のものを採用したため、植付機の軽量化を図ることができる。
さらに、各連結枠に対して、各穴開け突起を横方向へのスライド可能および異なる高さのものとの交換可能にそれぞれ連結したため、各連結枠に配された複数の穴開け突起の間隔を適宜変更することができるとともに、各穴開け突起の高さも変更することができる。
さらにまた、各連結枠を、左右一対の端板に対して、各半径方向へ移動可能に配したため、土の表面に現出される各植え付け穴の形成ピッチを適宜変更することができる。
【００２３】
また、請求項４に記載の発明によれば、取っ手を握り、前輪を中心にして機体を反転させた後、後輪を所定高さまで持ち上げた状態で、植付機を手引き走行させる。これにより、前輪のみによる植付機の走行が可能となり、土の表面に、種または球根が未投入の穴開け突起を連続的に形成することができる。
【図面の簡単な説明】
【００２４】
【図１】この発明の実施例１に係る種または球根の植付機の斜視図である。
【図２】この発明の実施例１に係る種または球根の植付機の使用状態を示す側面図である。
【図３】この発明の実施例１に係る種または球根の植付機の一部を構成する縦横移動手段を示す斜視図である。
【図４】（ａ）は、この発明の実施例１に係る種または球根の植付機の植え付け穴と投入チューブとの対峙状態を示す要部拡大正面図である。（ｂ）は、この投入チューブから球根を植え付け穴へ投入した状態を示す要部拡大正面図である。（ｃ）は、この球根が投入された植え付け穴と押し込み部材との対峙状態を示す要部拡大正面図である。（ｄ）は、押し込み部材による球根の穴底への押し込み状態を示す要部拡大正面図である。
【図５】この発明の実施例１に係る種または球根の植付機の一部を構成する穴開け突起の別形態を示す拡大斜視図である。
【図６】この発明の実施例１に係る種または球根の植付機の一部を構成する別形態の前輪を示す拡大側面図である。
【図７】この発明の実施例１に係る種または球根の植付機の別の使用方法を示す側面図である。
【発明を実施するための形態】
【００２５】
以下、この発明の実施例を具体的に説明する。ここでは説明の都合上、Ｘ１方向を植付機の前方向（進行方向）、Ｘ２をその後方向、Ｙ１をその左方向、Ｙ２をその右方向、Ｚ１方向をその上方向、Ｚ２方向をその下方向とする。
【実施例】
【００２６】
図１および図２に示すように、この発明の実施例１に係る種または球根の植付機（以下、植付機）１０は、作業者が握って走行力を得るための左右一対の取っ手１１が配された枠型の機体１２と、機体１２の上部に設けられて、複数の球根１３を収納するための上面が開口したＹ１−Ｙ２方向に長い収納箱１４と、機体１２の前部に配されて、畑の畝（土）の表面にニンニクの球根１３の植え付け穴１５をＹ１−Ｙ２方向に３つずつ並列状態で順次開けて行く複数の穴開け突起１６が半径方向に突出して配設された前輪１７と、機体１２の後部に配されて、各穴開け突起１６により開けられた横一列３つずつの植え付け穴１５の上部をそれぞれ押し潰して覆土する３つの後輪１８と、機体１２に設けられて、前輪１７と後輪１８との間から露出した植え付け穴１５に、収納箱１４に入った球根１３をそれぞれ投入するための３本の投入チューブ１９と、各投入チューブ１９の一側部に、それぞれ昇降自在な連結状態で並設されて、各植え付け穴１５に投入された球根１３を各穴奥へと押し込む３本の縦長な押し込み棒（押し込み部材）２０と、操作アームＡの操作によって、各投入チューブ１９と各押し込み棒２０とを、対応する植え付け穴１５との対峙位置まで一体的に横移動させるとともに、各植え付け穴１５の真上で対応する押し込み棒２０のみを昇降させる縦横移動手段２１とを備えたものである。すなわち、機体１２は、その下部に配置された前輪１７および後輪１８の４輪で支持されており、その前後方向に沿って走行（移動）可能とされている。
【００２７】
以下、図１〜図３を参照して、これらの構成体を具体的に説明する。
機体１２は、それぞれＸ１−Ｘ２方向に延びた左サイドメンバー２２および右サイドメンバー２３と、これらの長さ方向の略中間部を連結するクロスメンバー２４と、左サイドメンバー２２のＸ２側の端に下端部付近が連結されている縦長な左支柱２５と、右サイドメンバー２３のＸ２側の端に下端部付近が連結されている縦長な右支柱２６と、各支柱２５，２６の上端同士を連結するＹ１−Ｙ２方向に延びた上枠２７と、左サイドメンバー２２のＸ１側の端に基端が連結されて、長さ方向の略中間部が左支柱２５の上端に連結された長尺な左傾斜アーム２８と、右サイドメンバー２３のＸ１側の端に基端が連結されて、長さ方向の略中間部が右支柱２６の上端に連結された長尺な右傾斜アーム２９とを有している。
これらの部材は、ステンレス製の丸パイプであるクロスメンバー２４を除いて、アルミニウム合金製の角パイプからなる。また、各傾斜アーム２８，２９の先端部の内面側には、それぞれ対峙方向へ延びた左右一対の取っ手１１が突設されている。さらに、上枠２７の長さ方向の中間部の下面には、下向きコの字状の連結ブラケット３０が、垂直ピン３１を介して水平旋回自在に連結されている。
【００２８】
収納箱１４は、各傾斜アーム２８，２９のうち、上枠２７の連結位置より上部に横架されたＹ１−Ｙ２方向へ延びる箱支持枠３２に片持ちされている。収納箱１４の底板のＸ１側の端部には、Ｙ１−Ｙ２方向へ所定ピッチで、球根１３の投入部３３が３つ配設されている。また、収納箱１４のＸ２方向の側板の長さ方向の略中間部には、操作アームＡの操作をガイドする矩形状のガイド板３４が吊下されている。このガイド板３４の下辺部３４ａが、各投入チューブ１９と各押し込み棒２０とを、それぞれ横一列に配された３つの植え付け穴１５との対峙位置まで一体的に横移動させるときのガイドとなる。また、ガイド板３４のＹ２側の辺部３４ｂが、各植え付け穴１５の真上で各押し込み棒２０のみを昇降させるときのガイドとなる。
【００２９】
前輪１７は、円形をした左右一対の薄肉な端板３５（厚みが３〜５ｍｍ程度のアルミ円板）の外周部に、左右一対ずつのビスＢを介して、周方向へ４５°ピッチで８本の連結枠３６がそれぞれ平行に横架された横長で円筒枠状の部材である。前輪１７の左右一対の短尺な回転軸４１は、左サイドメンバー２２のＸ１側の端部と、左傾斜アーム２８の下端部との連結部に軸支されている。
各連結枠３６には、それぞれの長さ方向へ所定ピッチで３本の穴開け突起１６が突設されている。各穴開け突起１６は短尺な丸棒で、これらのサイズは、球根１３の植え付けに適した直径５ｃｍ、長さ１０ｃｍとしている。
各後輪１８は、各支柱２５，２６の下端間に横架されたＹ１−Ｙ２方向へ延びる回転軸４２に対して、その軸線方向（長さ方向）へ所定ピッチで各後輪１８の中心部が固着された円盤状の部材である。３つの後輪１８は、前輪１７の回転に伴って畝の表面に横一列３つずつで順次穿たれた各植え付け穴１５の上部をそれぞれ押し潰せる位置に配されている。
【００３０】
各投入チューブ１９は、ワイヤー鋼線により補強された軟質プラスチック製のもので、各上端部が対応する投入部３３にそれぞれ連通される。
各押し込み棒２０は、Ｚ１−Ｚ２方向に延びる丸棒で、対応する押し込み棒２０の３分の２程度の長さを有する角パイプ状の３本の昇降ガイド筒３７に、それぞれ昇降自在に挿入されている。これらの押し込み棒２０の上端部は、上端の抜け止めキャップ３８と、それより下方に配された位置決めリング３９とに挟持された状態で、Ｙ１−Ｙ２方向に延びた１本の昇降フレーム４０により連結されている。
【００３１】
縦横移動手段２１は、Ｘ１−Ｘ２方向に長いアルミニウム合金製の操作アームＡと、上枠２７の長さ方向の中間部に、垂直ピン３１を介して水平旋回自在に連結されたステンレス製の前記連結ブラケット３０と、３本の押し込み棒２０の上端部を連結するアルミニウム合金製の前記昇降フレーム４０と、クロスメンバー２４にスライド自在に外挿されたＹ１−Ｙ２方向に長いスライダ４３とを有している。
操作アームＡは、３本の押し込み棒２０のうち、中間に配された押し込み棒２０の昇降フレーム４０との連結部分に基端部が挿着されている。また、操作アームＡの長さ方向の略中間部が、水平ピン４４を介して、連結ブラケット３０の左右一対の側板部に垂直回動自在に連結されている。すなわち、操作アームＡは、連結ブラケット３０を利用して、垂直ピン３１を中心にした水平回動と、水平ピン４４を中心にした垂直回動とを任意に行うことができる長尺部材である。
【００３２】
スライダ４３は、クロスメンバー２４より短尺な角パイプである。このスライダ４３の長さ方向の両端部と中間部との各Ｘ１側の面には、相対的にＹ１側に配される投入チューブ１９の下端部と、相対的にＹ２側に配される各昇降ガイド筒３７の下端部とが、一対ずつ固着されている（図３）。対応する投入チューブ１９の下端部と昇降ガイド筒３７の下端部とのＹ１−Ｙ２方向のスパンは、クロスメンバー２４とスライダ４３との長さの差、すなわち操作アームＡの水平操作により、スライダ４３が横スライドする最大幅と同じである。したがって、操作アームＡの先部がガイド板３４の下辺部３４ａに当接する球根１３の投入時、各投入チューブ１９の下端部は、対応する後輪１８の走行路上（植え付け穴１５の真上）に配される。一方、操作アームＡの先部がガイド板３４のＹ２側の辺部に当接する棒昇降時、各昇降ガイド筒３７の下端部は、対応する後輪１８の走行路上（植え付け穴１５の真上）に配される。
【００３３】
次に、図１〜図７を参照して、この発明の実施例１に係る植付機１０による球根１３の植え付け方法を説明する。
図２及び図３に示すように、あらかじめ操作アームＡの先部をガイド板３４の下辺部３４ａに当接させ、各投入チューブ１９の下端部を、対応する植え付け穴１５の真上に配置しておく（図４（ａ））。
球根１３の植え付け時、畝の上で、取っ手１１を握り植付機１０をＸ１方向へ手押し走行する。これにより前輪１７が回転し、各連結枠３６に配された３つの穴開け突起１６によって、土の表面に球根１３の植え付け穴１５がＹ１−Ｙ２方向へ３つ開けられる。
その後、植付機１０のさらなる前進により、これらの植え付け穴１５が前輪１７と後輪１８との間に達する。ここで、植付機１０を停止し、収納箱１４から３本の投入チューブ１９を通して、各植え付け穴１５に球根１３を１つずつ投入する（図４（ｂ））。
【００３４】
その後、操作アームＡの先端部を握り、垂直ピン３１を中心にしてこれをＹ２方向へ回動し、操作アームＡをガイド板３４のＹ２側の辺部３４ｂに当接させる。これにより、各昇降ガイド筒３７（押し込み棒２０）の下端部が、対応する植え付け穴１５の真上に配される（図４（ｃ））。
次いで、握った操作アームＡの先端部を引き上げ、ガイド板３４のＹ２側の辺部３４ｂをガイドにしながら、水平ピン４４を中心にして操作アームＡを上方回動させる。これにより、昇降フレーム４０を介して３本の押し込み棒２０が、対応する昇降ガイド筒３７をガイドにして昇降し、各植え付け穴１５に投入された球根１３を穴底へそれぞれ押し込む（図４（ｄ））。これにより、各球根１３が正しい植え付け位置に到達し、各球根１３の必要な埋め込み深さを確保することができる。
その後、さらに植付機１０を前進することで、各後輪１８が対応する植え付け穴１５の上部をそれぞれ押し潰し、投入された球根１３の上に覆土する（図２）。
【００３５】
このように、前輪１７に突設された各穴開け突起１６によって、従来機では形成が困難であった所定深さの植え付け穴１５を畝の表面にそれぞれ開けるように構成したため、種だけでなく球根１３の植え付けも支障なく行うことができる。
また、アーム操作式の縦横移動手段２１を利用して、各投入チューブ１９と各押し込み棒２０とを、対応する植え付け穴１５との対峙位置まで一体的に横移動させるとともに、対応する植え付け穴１５の真上で各押し込み棒２０を昇降可能に構成したため、各投入チューブ１９を使用した球根１３の各植え付け穴１５への投入と、その後の各押し込み棒２０による各植え付け穴１５の穴奥への球根１３の押し込みとを、操作アームＡによる簡単な各回動操作のみで連続的に短時間で行うことができる。
さらに、前輪１７として横長な円筒枠状のものを採用したため、植付機１０の軽量化を図ることもできる。
【００３６】
なお、図５に示すように、各穴開け突起１６は、短尺なコの字フランジ４５を介して、対応する連結枠３６にそれぞれ着脱自在にビス止めするようにしてもよい。これにより、各連結枠３６にＹ１−Ｙ２方向へスライド可能に各穴開け突起１６を取り付けて、各穴開け突起１６の間隔を適宜変更することができる。しかも、各穴開け突起１６を直径と高さが異なるもの（小径で短尺な穴開け突起１６Ａ）と交換可能になるため、球根１３や種などの被植付物の種類やサイズに応じて、植え付け穴１５の直径や深さを適宜変更することができる。
【００３７】
また、図６に示すように、左右一対の端板３５に、各連結枠３６を連結するビスＢのビス止め穴３５ａ、３５ｂを、端板３５の半径方向へ所定ピッチでそれぞれ形成するように構成すれば、全ての連結枠３６を各端板３５の半径方向へ一括して移動させて、隣接する連結枠３６の周方向の間隔を変更することができる。これにより、土の表面に現出される各植え付け穴１５の形成ピッチを適宜変更することができる。
【００３８】
さらに、図７に示すように、この植付機１０は、取っ手１１を握り、前輪１７を中心にして機体１２を反転させることで、後輪１８を所定高さまで持ち上げた状態で、植付機１０を手引き走行させることもできる。これにより、前輪１７のみによる植付機１０の走行が可能となり、土の表面に、球根１３が未投入の穴開け突起１６を連続的に形成することができる。
【産業上の利用可能性】
【００３９】
この発明に係る種または球根の植付機は、手動走行式の種または球根の植付機として有用である。
【符号の説明】
【００４０】
１０  種または球根の植付機、
１１  取っ手、
１２  機体、
１３  球根（種または球根）、
１５  植え付け穴、
１６  穴開け突起、
１７  前輪、
１８  後輪、
１９  投入チューブ、
２０  押し込み棒（押し込み部材）、
２１  縦横移動手段、
３５  端板、
３６  連結枠。
【図１】
2020110061.tif 000003
【図２】
2020110061.tif 000004
【図３】
2020110061.tif 000005
【図４】
2020110061.tif 000006
【図５】
2020110061.tif 000007
【図６】
2020110061.tif 000008
【図７】
2020110061.tif 000009
【手続補正書】
【提出日】令和1年8月8日(2019.8.8)
【手続補正１】
【補正対象書類名】特許請求の範囲
【補正対象項目名】全文
【補正方法】変更
【補正の内容】
【特許請求の範囲】
【請求項１】
走行力を得るための取っ手が設けられた機体と、
この機体の前部に配設された前輪と、
この前輪に設けられ、その半径方向に突出し、土に種または球根の植え付け穴を開ける穴開け突起と、
前記機体の後部に配設され、この穴開け突起により開けられた前記植え付け穴の上部を押し潰して覆土する後輪と、
前記機体に設けられ、前記前輪と前記後輪との間から露出した前記植え付け穴に前記種または球根を投入するための投入チューブと、
この投入チューブの一側部に昇降自在な連結状態で並設され、前記植え付け穴に投入された前記種または球根を穴奥へ押し込む押し込み部材と、
前記機体に水平回動自在かつ垂直回動自在に設けられ、前記投入チューブと前記押し込み部材とを、それぞれ前記植え付け穴との対峙位置まで一体的に横移動させるとともに、前記押し込み部材のみを前記植え付け穴との対峙位置で昇降させる操作アームと、を備えた種または球根の植付機。
【請求項２】
前記前輪は、円形をした左右一対の端板の外周部に、周方向へ所定ピッチで複数の連結枠が平行に横架された横長な円筒枠状のもので、
前記複数の連結枠には、複数の前記穴開け突起が、横方向へのスライド可能および異なる高さのものとの交換可能にそれぞれ連結され、
前記複数の連結枠は、前記左右一対の端板に対して、各半径方向へ移動可能にそれぞれ横架された請求項１に記載の種または球根の植付機。
【請求項３】
前記取っ手は、前記前輪を中心にして前記機体を反転させることによって、前記後輪を持ち上げた状態での手引き走行が可能なように前記機体に設けられた請求項１または請求項２に記載の種または球根の植付機。
【手続補正２】
【補正対象書類名】明細書
【補正対象項目名】全文
【補正方法】変更
【補正の内容】
【発明の詳細な説明】
【技術分野】
【０００１】
この発明は種または球根の植付機、詳しくは手動走行式の種または球根の植付機に関する。
【背景技術】
【０００２】
従来、手押し走行式の種蒔機として、例えば、特許文献１に記載されたものが知られている。この従来の種蒔機は、畑に種蒔き溝を形成するための複数の輪形ロールが外周面に離間配置されたドラム状の前輪と、この前輪と軸線同士が平行なドラム状の後輪と、各輪の間に配されて、各輪形ロールにより形成された各種蒔き溝に覆土するための覆土板と、各輪より上方に配されて、複数の種を収納する種入れ容器と、種入れ容器にそれぞれの上端が連通されて、前輪と覆土板との間から露出した各種まき溝に種入れを行うための複数の投入チューブとを備えたものである。
【０００３】
種蒔き機の使用に際しては、畑で種蒔き機を手押し走行することで、まず、前輪の各輪形ロールによって土の上に複数の種蒔き溝が押し固めて形成される。その後、各溝の中に、種入れ容器から各チューブを通して種が１粒ずつ蒔かれ、次いで覆土板によって各溝の上に薄く覆土された後、後輪の踏みによってこの覆土を鎮圧する。これにより、植え付けられた種が風で飛散せず、地中からの自然な水揚げを促進することができる。その結果、種および溝土の乾燥を防止し、種の発芽を促して植物を生育することができる。
【先行技術文献】
【特許文献】
【０００４】
【特許文献１】特開２００３−２３５３１０号公報
【発明の概要】
【発明が解決しようとする課題】
【０００５】
しかしながら、従来の手押し走行式の種蒔機にあっては、このように複数の輪形ロール付きの前輪を畑の上で回転させて形成可能な種蒔き溝は一般的に浅い。そのため、種を投入する分には問題はないものの、球根を投入できるほどの深い溝を畑の表面に形成することは難しかった。すなわち、深い溝を形成するためには、前輪の外周面からの輪形ロールの突出高さを大きくし、さらに前輪を大型化して重量物とする必要があり、これでは種蒔機の手押し走行を行うことが困難になる。このように、従来機は、球根の植え付けに不向きなものであった。
【０００６】
そこで、発明者は鋭意研究の結果、畑の表面に、種または球根の植え付け穴を開けるための穴開け突起を、前輪の半径方向に突出状態で設けるようにすれば、上述した課題は解消されることを知見し、この発明を完成させた。
【０００７】
この発明は、種だけでなく、球根の植え付けも可能な種または球根の植付機を提供することを目的としている。
【課題を解決するための手段】
【０００８】
請求項１に記載の発明は、走行力を得るための取っ手が設けられた機体と、この機体の前部に配設された前輪と、この前輪に設けられ、その半径方向に突出し、土に種または球根の植え付け穴を開ける穴開け突起と、前記機体の後部に配設され、この穴開け突起により開けられた前記植え付け穴の上部を押し潰して覆土する後輪と、前記機体に設けられ、前記前輪と前記後輪との間から露出した前記植え付け穴に前記種または球根を投入するための投入チューブと、この投入チューブの一側部に昇降自在な連結状態で並設され、前記植え付け穴に投入された前記種または球根を穴奥へ押し込む押し込み部材と、前記機体に水平回動自在かつ垂直回動自在に設けられ、前記投入チューブと前記押し込み部材とを、それぞれ前記植え付け穴との対峙位置まで一体的に横移動させるとともに、前記押し込み部材のみを前記植え付け穴との対峙位置で昇降させる操作アームと、を備えた種または球根の植付機である。
【０００９】
植付機は、取っ手を利用した手押し走行式のものでも、これとは反対に手引き走行式のものでもよい。この取っ手はその一部が機体に連結されており、操作者が取っ手をつかんで機体を押しまたは引っ張ることにより機体を走行させることを可能としている。
植付機を使用する場所としては、畑（畝）や家庭菜園の庭などが一般的である。
植付機により植え付けられる種の種類は限定されない。例えば、トマト、キュウリといった各種の野菜、イチゴといった各種の果物の種でもよい。
また、球根の種類も限定さない。例えば、各種の花（チューリップ、アマリリスなど）、各種の野菜（ニンニク、里芋、ジャガイモなど）の球根を採用することができる。
【００１０】
機体の素材としては、例えば、各種の金属を採用することができるものの、安価で軽量なアルミニウム合金が好ましい。
機体の形状も任意である。
取っ手の素材としては、例えば、各種の金属、各種のプラスチック、各種の木などを採用することができる。
取っ手の形状や長さは任意である。
【００１１】
前輪の素材としては、各種の金属、各種のプラスチックなどを採用することができる。
前輪の形状は任意である。例えば、円盤状、横長な円筒状、横長な円筒枠状などを採用することができる。
前輪の使用数も任意である。１つでも複数でもよい。
穴開け突起の素材としては、各種の金属、各種のプラスチックなどを採用することができる。
穴開け突起の形状は任意である。例えば、円柱状、角柱状などでもよい。
穴開け突起のサイズ（直径（開口面積）、深さ）も任意である。
穴開け突起の形成数は任意である。例えば、１つでも複数でもよい。複数の場合、前輪の周方向に所定ピッチで形成した方が、土の表面に一定間隔で植え付け穴を形成できるために好ましい。
植え付け穴の形状や深さは、穴開け突起の形状や長さにより適宜変更される。
【００１２】
後輪の素材としては、各種の金属、各種のプラスチックなどを採用することができる。
後輪の形状は任意である。例えば、円盤状、横長な円筒状などを採用することができる。
後輪の使用数も任意である。１つでも複数でもよい。
投入チューブの素材としては、例えば、各種のプラスチックなどを採用することができる。また、この投入チューブとしては、湾曲自在な金属チューブでもよい。
【００１３】
押し込み部材の素材としては、各種の金属、各種のプラスチックなどを採用することができる。
押し込み部材の形状は任意である。例えば、丸棒状、角棒状でもよい。この押し込み部材は、縦長で上下面が開口した昇降ガイド筒を利用して昇降自在に設けてもよい。
操作アームの素材としては、各種の金属、各種のプラスチック、各種の木などを採用することができる。
縦横移動手段の構造は、操作アームを適宜操作することによって、植え付け穴との対峙位置まで一体的に投入チューブと押し込み部材とを移動可能であるとともに、押し込み部材のみを植え付け穴の真上で昇降（上下動）させて、種または球根を穴奥に押し込めるものであれば任意である。
【００１４】
請求項２に記載の発明は、前記前輪は、円形をした左右一対の端板の外周部に、周方向へ所定ピッチで複数の連結枠が平行に横架された横長な円筒枠状のもので、前記複数の連結枠には、複数の前記穴開け突起が、横方向へのスライド可能および異なる高さのものとの交換可能にそれぞれ連結され、前記複数の連結枠は、前記左右一対の端板に対して、各半径方向へ移動可能にそれぞれ横架された請求項１に記載の種または球根の植付機である。
【００１５】
端板および連結枠の素材としては、各種の金属、各種のプラスチックなどを採用することができる。
端板の厚さは任意であるものの、薄肉の方が軽量化を図れて好ましい。
連結枠としては、例えば、丸棒、丸パイプ、角棒、角パイプなどを採用することができる。
連結枠の長さは、横長な前輪の長さに応じて適宜変更することができる。
また、連結枠の使用数も、土の表面に形成される植え付け穴の形成ピッチに応じて適宜変更することができる。
【００１６】
ここでいう「複数の連結枠に、複数の穴開け突起が、横方向へのスライド可能および異なる高さのものとの交換可能にそれぞれ連結されている」とは、対応する連結枠に、複数の穴開け突起がそれぞれ横方向（連結枠の長さ方向）へスライド可能に設けられて、各穴開け突起の形成ピッチを変更できるとともに、対応する連結枠に、複数の穴開け突起がそれぞれ着脱可能に設けられることで、穴開け突起を高さが異なるものに交換できることを意味する。
ここでいう「複数の連結枠が、左右一対の端板に対して、各半径方向へ移動可能にそれぞれ横架されている」とは、前輪の構成が、２枚の端板における各連結枠の横架位置を、端板の半径方向へ移動できるようになっていることを意味する。
【００１７】
請求項３に記載の発明は、前記取っ手は、前記前輪を中心にして前記機体を反転させることによって、前記後輪を持ち上げた状態での手引き走行が可能なように前記機体に設けられた請求項１または請求項２に記載の種または球根の植付機である。
【発明の効果】
【００１８】
請求項１に記載の発明によれば、種または球根の植え付け時、取っ手を握って植付機を土の上で前進させると、前輪が回転し、穴開け突起によって土の表面に種または球根の植え付け穴が開けられる。その後の植付機の前進により、植え付け穴が前輪と後輪との間に達したとき、投入チューブを通して種または球根が植え付け穴に投入される。さらに植付機が前進することで、後輪が植え付け穴の上部を押し潰し、投入された種または球根の上に覆土する。
このように、前輪に突設された穴開け突起によって、従来機では形成が困難であった所定深さの植え付け穴を土の表面に開けるように構成したため、種だけでなく球根の植え付けも行うことができる。
【００１９】
特に、種または球根の植え付けに際して、操作アームの操作により、投入チューブと押し込み部材とを一体的に横移動させ、前輪と後輪との間から露出した植え付け穴の真上に投入チューブの下端を配置する。次いで、この状態で投入チューブの下端から穴開け突起の中へと種または球根を投入する。
その後、操作アームのさらなる操作によって、投入チューブと押し込み部材とを一体的に横移動させ、植え付け穴の真上に押し込み部材の下端を配置し、ここで押し込み部材を下方へ移動させることで、植え付け穴に投入された種または球根を穴奥に押し込む。これにより、種または球根の必要な埋め込み深さを確保することができる。
【００２０】
このように、操作アームを使用して、投入チューブと押し込み部材とをそれぞれ植え付け穴との対峙位置まで一体的に横移動させるとともに、押し込み部材を昇降可能に構成したため、投入チューブを使用した種または球根の植え付け穴への投入と、その後の押し込み部材による植え付け穴の穴奥への種または球根の押し込みとを、操作アームによる簡単な操作のみで連続的に短時間で行うことができる。
【００２１】
また、請求項２に記載の発明によれば、前輪として横長な円筒枠状のものを採用したため、植付機の軽量化を図ることができる。
さらに、各連結枠に対して、各穴開け突起を横方向へのスライド可能および異なる高さのものとの交換可能にそれぞれ連結したため、各連結枠に配された複数の穴開け突起の間隔を適宜変更することができるとともに、各穴開け突起の高さも変更することができる。
さらにまた、各連結枠を、左右一対の端板に対して、各半径方向へ移動可能に配したため、土の表面に現出される各植え付け穴の形成ピッチを適宜変更することができる。
【００２２】
また、請求項３に記載の発明によれば、取っ手を握り、前輪を中心にして機体を反転させた後、後輪を所定高さまで持ち上げた状態で、植付機を手引き走行させる。これにより、前輪のみによる植付機の走行が可能となり、土の表面に、種または球根が未投入の穴開け突起を連続的に形成することができる。
【図面の簡単な説明】
【００２３】
【図１】この発明の実施例１に係る種または球根の植付機の斜視図である。
【図２】この発明の実施例１に係る種または球根の植付機の使用状態を示す側面図である。
【図３】この発明の実施例１に係る種または球根の植付機の一部を構成する縦横移動手段を示す斜視図である。
【図４】（ａ）は、この発明の実施例１に係る種または球根の植付機の植え付け穴と投入チューブとの対峙状態を示す要部拡大正面図である。（ｂ）は、この投入チューブから球根を植え付け穴へ投入した状態を示す要部拡大正面図である。（ｃ）は、この球根が投入された植え付け穴と押し込み部材との対峙状態を示す要部拡大正面図である。（ｄ）は、押し込み部材による球根の穴底への押し込み状態を示す要部拡大正面図である。
【図５】この発明の実施例１に係る種または球根の植付機の一部を構成する穴開け突起の別形態を示す拡大斜視図である。
【図６】この発明の実施例１に係る種または球根の植付機の一部を構成する別形態の前輪を示す拡大側面図である。
【図７】この発明の実施例１に係る種または球根の植付機の別の使用方法を示す側面図である。
【発明を実施するための形態】
【００２４】
以下、この発明の実施例を具体的に説明する。ここでは説明の都合上、Ｘ１方向を植付機の前方向（進行方向）、Ｘ２をその後方向、Ｙ１をその左方向、Ｙ２をその右方向、Ｚ１方向をその上方向、Ｚ２方向をその下方向とする。
【実施例】
【００２５】
図１および図２に示すように、この発明の実施例１に係る種または球根の植付機（以下、植付機）１０は、作業者が握って走行力を得るための左右一対の取っ手１１が配された枠型の機体１２と、機体１２の上部に設けられて、複数の球根１３を収納するための上面が開口したＹ１−Ｙ２方向に長い収納箱１４と、機体１２の前部に配されて、畑の畝（土）の表面にニンニクの球根１３の植え付け穴１５をＹ１−Ｙ２方向に３つずつ並列状態で順次開けて行く複数の穴開け突起１６が半径方向に突出して配設された前輪１７と、機体１２の後部に配されて、各穴開け突起１６により開けられた横一列３つずつの植え付け穴１５の上部をそれぞれ押し潰して覆土する３つの後輪１８と、機体１２に設けられて、前輪１７と後輪１８との間から露出した植え付け穴１５に、収納箱１４に入った球根１３をそれぞれ投入するための３本の投入チューブ１９と、各投入チューブ１９の一側部に、それぞれ昇降自在な連結状態で並設されて、各植え付け穴１５に投入された球根１３を各穴奥へと押し込む３本の縦長な押し込み棒（押し込み部材）２０と、操作アームＡの操作によって、各投入チューブ１９と各押し込み棒２０とを、対応する植え付け穴１５との対峙位置まで一体的に横移動させるとともに、各植え付け穴１５の真上で対応する押し込み棒２０のみを昇降させる縦横移動手段２１とを備えたものである。すなわち、機体１２は、その下部に配置された前輪１７および後輪１８の４輪で支持されており、その前後方向に沿って走行（移動）可能とされている。
【００２６】
以下、図１〜図３を参照して、これらの構成体を具体的に説明する。
機体１２は、それぞれＸ１−Ｘ２方向に延びた左サイドメンバー２２および右サイドメンバー２３と、これらの長さ方向の略中間部を連結するクロスメンバー２４と、左サイドメンバー２２のＸ２側の端に下端部付近が連結されている縦長な左支柱２５と、右サイドメンバー２３のＸ２側の端に下端部付近が連結されている縦長な右支柱２６と、各支柱２５，２６の上端同士を連結するＹ１−Ｙ２方向に延びた上枠２７と、左サイドメンバー２２のＸ１側の端に基端が連結されて、長さ方向の略中間部が左支柱２５の上端に連結された長尺な左傾斜アーム２８と、右サイドメンバー２３のＸ１側の端に基端が連結されて、長さ方向の略中間部が右支柱２６の上端に連結された長尺な右傾斜アーム２９とを有している。
これらの部材は、ステンレス製の丸パイプであるクロスメンバー２４を除いて、アルミニウム合金製の角パイプからなる。また、各傾斜アーム２８，２９の先端部の内面側には、それぞれ対峙方向へ延びた左右一対の取っ手１１が突設されている。さらに、上枠２７の長さ方向の中間部の下面には、下向きコの字状の連結ブラケット３０が、垂直ピン３１を介して水平旋回自在に連結されている。
【００２７】
収納箱１４は、各傾斜アーム２８，２９のうち、上枠２７の連結位置より上部に横架されたＹ１−Ｙ２方向へ延びる箱支持枠３２に片持ちされている。収納箱１４の底板のＸ１側の端部には、Ｙ１−Ｙ２方向へ所定ピッチで、球根１３の投入部３３が３つ配設されている。また、収納箱１４のＸ２方向の側板の長さ方向の略中間部には、操作アームＡの操作をガイドする矩形状のガイド板３４が吊下されている。このガイド板３４の下辺部３４ａが、各投入チューブ１９と各押し込み棒２０とを、それぞれ横一列に配された３つの植え付け穴１５との対峙位置まで一体的に横移動させるときのガイドとなる。また、ガイド板３４のＹ２側の辺部３４ｂが、各植え付け穴１５の真上で各押し込み棒２０のみを昇降させるときのガイドとなる。
【００２８】
前輪１７は、円形をした左右一対の薄肉な端板３５（厚みが３〜５ｍｍ程度のアルミ円板）の外周部に、左右一対ずつのビスＢを介して、周方向へ４５°ピッチで８本の連結枠３６がそれぞれ平行に横架された横長で円筒枠状の部材である。前輪１７の左右一対の短尺な回転軸４１は、左サイドメンバー２２のＸ１側の端部と、左傾斜アーム２８の下端部との連結部に軸支されている。
各連結枠３６には、それぞれの長さ方向へ所定ピッチで３本の穴開け突起１６が突設されている。各穴開け突起１６は短尺な丸棒で、これらのサイズは、球根１３の植え付けに適した直径５ｃｍ、長さ１０ｃｍとしている。
各後輪１８は、各支柱２５，２６の下端間に横架されたＹ１−Ｙ２方向へ延びる回転軸４２に対して、その軸線方向（長さ方向）へ所定ピッチで各後輪１８の中心部が固着された円盤状の部材である。３つの後輪１８は、前輪１７の回転に伴って畝の表面に横一列３つずつで順次穿たれた各植え付け穴１５の上部をそれぞれ押し潰せる位置に配されている。
【００２９】
各投入チューブ１９は、ワイヤー鋼線により補強された軟質プラスチック製のもので、各上端部が対応する投入部３３にそれぞれ連通される。
各押し込み棒２０は、Ｚ１−Ｚ２方向に延びる丸棒で、対応する押し込み棒２０の３分の２程度の長さを有する角パイプ状の３本の昇降ガイド筒３７に、それぞれ昇降自在に挿入されている。これらの押し込み棒２０の上端部は、上端の抜け止めキャップ３８と、それより下方に配された位置決めリング３９とに挟持された状態で、Ｙ１−Ｙ２方向に延びた１本の昇降フレーム４０により連結されている。
【００３０】
縦横移動手段２１は、Ｘ１−Ｘ２方向に長いアルミニウム合金製の操作アームＡと、上枠２７の長さ方向の中間部に、垂直ピン３１を介して水平旋回自在に連結されたステンレス製の前記連結ブラケット３０と、３本の押し込み棒２０の上端部を連結するアルミニウム合金製の前記昇降フレーム４０と、クロスメンバー２４にスライド自在に外挿されたＹ１−Ｙ２方向に長いスライダ４３とを有している。
操作アームＡは、３本の押し込み棒２０のうち、中間に配された押し込み棒２０の昇降フレーム４０との連結部分に基端部が挿着されている。また、操作アームＡの長さ方向の略中間部が、水平ピン４４を介して、連結ブラケット３０の左右一対の側板部に垂直回動自在に連結されている。すなわち、操作アームＡは、連結ブラケット３０を利用して、垂直ピン３１を中心にした水平回動と、水平ピン４４を中心にした垂直回動とを任意に行うことができる長尺部材である。
【００３１】
スライダ４３は、クロスメンバー２４より短尺な角パイプである。このスライダ４３の長さ方向の両端部と中間部との各Ｘ１側の面には、相対的にＹ１側に配される投入チューブ１９の下端部と、相対的にＹ２側に配される各昇降ガイド筒３７の下端部とが、一対ずつ固着されている（図３）。対応する投入チューブ１９の下端部と昇降ガイド筒３７の下端部とのＹ１−Ｙ２方向のスパンは、クロスメンバー２４とスライダ４３との長さの差、すなわち操作アームＡの水平操作により、スライダ４３が横スライドする最大幅と同じである。したがって、操作アームＡの先部がガイド板３４の下辺部３４ａに当接する球根１３の投入時、各投入チューブ１９の下端部は、対応する後輪１８の走行路上（植え付け穴１５の真上）に配される。一方、操作アームＡの先部がガイド板３４のＹ２側の辺部に当接する棒昇降時、各昇降ガイド筒３７の下端部は、対応する後輪１８の走行路上（植え付け穴１５の真上）に配される。
【００３２】
次に、図１〜図７を参照して、この発明の実施例１に係る植付機１０による球根１３の植え付け方法を説明する。
図２及び図３に示すように、あらかじめ操作アームＡの先部をガイド板３４の下辺部３４ａに当接させ、各投入チューブ１９の下端部を、対応する植え付け穴１５の真上に配置しておく（図４（ａ））。
球根１３の植え付け時、畝の上で、取っ手１１を握り植付機１０をＸ１方向へ手押し走行する。これにより前輪１７が回転し、各連結枠３６に配された３つの穴開け突起１６によって、土の表面に球根１３の植え付け穴１５がＹ１−Ｙ２方向へ３つ開けられる。
その後、植付機１０のさらなる前進により、これらの植え付け穴１５が前輪１７と後輪１８との間に達する。ここで、植付機１０を停止し、収納箱１４から３本の投入チューブ１９を通して、各植え付け穴１５に球根１３を１つずつ投入する（図４（ｂ））。
【００３３】
その後、操作アームＡの先端部を握り、垂直ピン３１を中心にしてこれをＹ２方向へ回動し、操作アームＡをガイド板３４のＹ２側の辺部３４ｂに当接させる。これにより、各昇降ガイド筒３７（押し込み棒２０）の下端部が、対応する植え付け穴１５の真上に配される（図４（ｃ））。
次いで、握った操作アームＡの先端部を引き上げ、ガイド板３４のＹ２側の辺部３４ｂをガイドにしながら、水平ピン４４を中心にして操作アームＡを上方回動させる。これにより、昇降フレーム４０を介して３本の押し込み棒２０が、対応する昇降ガイド筒３７をガイドにして昇降し、各植え付け穴１５に投入された球根１３を穴底へそれぞれ押し込む（図４（ｄ））。これにより、各球根１３が正しい植え付け位置に到達し、各球根１３の必要な埋め込み深さを確保することができる。
その後、さらに植付機１０を前進することで、各後輪１８が対応する植え付け穴１５の上部をそれぞれ押し潰し、投入された球根１３の上に覆土する（図２）。
【００３４】
このように、前輪１７に突設された各穴開け突起１６によって、従来機では形成が困難であった所定深さの植え付け穴１５を畝の表面にそれぞれ開けるように構成したため、種だけでなく球根１３の植え付けも支障なく行うことができる。
また、アーム操作式の縦横移動手段２１を利用して、各投入チューブ１９と各押し込み棒２０とを、対応する植え付け穴１５との対峙位置まで一体的に横移動させるとともに、対応する植え付け穴１５の真上で各押し込み棒２０を昇降可能に構成したため、各投入チューブ１９を使用した球根１３の各植え付け穴１５への投入と、その後の各押し込み棒２０による各植え付け穴１５の穴奥への球根１３の押し込みとを、操作アームＡによる簡単な各回動操作のみで連続的に短時間で行うことができる。
さらに、前輪１７として横長な円筒枠状のものを採用したため、植付機１０の軽量化を図ることもできる。
【００３５】
なお、図５に示すように、各穴開け突起１６は、短尺なコの字フランジ４５を介して、対応する連結枠３６にそれぞれ着脱自在にビス止めするようにしてもよい。これにより、各連結枠３６にＹ１−Ｙ２方向へスライド可能に各穴開け突起１６を取り付けて、各穴開け突起１６の間隔を適宜変更することができる。しかも、各穴開け突起１６を直径と高さが異なるもの（小径で短尺な穴開け突起１６Ａ）と交換可能になるため、球根１３や種などの被植付物の種類やサイズに応じて、植え付け穴１５の直径や深さを適宜変更することができる。
【００３６】
また、図６に示すように、左右一対の端板３５に、各連結枠３６を連結するビスＢのビス止め穴３５ａ、３５ｂを、端板３５の半径方向へ所定ピッチでそれぞれ形成するように構成すれば、全ての連結枠３６を各端板３５の半径方向へ一括して移動させて、隣接する連結枠３６の周方向の間隔を変更することができる。これにより、土の表面に現出される各植え付け穴１５の形成ピッチを適宜変更することができる。
【００３７】
さらに、図７に示すように、この植付機１０は、取っ手１１を握り、前輪１７を中心にして機体１２を反転させることで、後輪１８を所定高さまで持ち上げた状態で、植付機１０を手引き走行させることもできる。これにより、前輪１７のみによる植付機１０の走行が可能となり、土の表面に、球根１３が未投入の穴開け突起１６を連続的に形成することができる。
【産業上の利用可能性】
【００３８】
この発明に係る種または球根の植付機は、手動走行式の種または球根の植付機として有用である。
【符号の説明】
【００３９】
１０  種または球根の植付機、
１１  取っ手、
１２  機体、
１３  球根（種または球根）、
１５  植え付け穴、
１６  穴開け突起、
１７  前輪、
１８  後輪、
１９  投入チューブ、
２０  押し込み棒（押し込み部材）、
２１  縦横移動手段、
３５  端板、
３６  連結枠。